(57)【要約】【課題】第１、第２の回転ブラシが効率よく回転し、塵埃除去性能に優れた掃除機用吸込具およびそれを用いた電気掃除機を提供する。【解決手段】駆動源３６により回転駆動されるとともに周面長手方向に第１の清掃片３１を有する第１の回転ブラシ３０と、第１の回転ブラシ３０と平行に配され前記第１の回転ブラシ３０で回転駆動されるとともに周面長手方向に第２の清掃片３４を有する第２の回転ブラシ３３とを備える掃除機用吸込具１６で、回転時における第２の清掃片３４と被掃除面との接触抵抗を、第１の清掃片３１と被掃除面との接触抵抗より小さく設定したので、第２の回転ブラシ３３に加わる負荷が減り、それにより第２の回転ブラシ３３を回転駆動する第１の回転ブラシ３０に加わる負荷も減り、第１および第２の回転ブラシ３０、３３が効率よく回転し、塵埃除去性能が大幅に向上する。【選択図】図５
2008104840.tif 000002
【特許請求の範囲】
【請求項１】
周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、回転時における前記第２の清掃片と被掃除面との接触抵抗を、前記第１の清掃片と被掃除面との接触抵抗より小さく設定した掃除機用吸込具。
【請求項２】
周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、前記第２の清掃片の突出代を、前記第１の清掃片のそれより長く設定した掃除機用吸込具。
【請求項３】
周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、前記第１の清掃片と前記第２の清掃片のそれぞれを複数の繊維で構成し、前記第２の清掃片の繊維の太さを前記第１の清掃片の繊維のそれより細く設定した掃除機用吸込具。
【請求項４】
周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、前記第１の清掃片と前記第２の清掃片のそれぞれを複数の繊維で構成し、前記第２の清掃片の繊維の本数を前記第１の清掃片の繊維のそれより少なく設定した掃除機用吸込具。
【請求項５】
周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、前記第１の清掃片と前記第２の清掃片のそれぞれを複数の繊維で構成し、前記第２の清掃片の繊維を第２の回転ブラシの長手方向に沿って間引き断続的に形成した掃除機用吸込具。
【請求項６】
前記第２の清掃片の突出代を、前記第１の清掃片のそれより長く設定することにより、回転時における前記第２の清掃片と被掃除面との接触抵抗を、回転時における前記第１の清掃片と被掃除面との接触抵抗より小さく設定した請求項１に記載の掃除機用吸込具。
【請求項７】
前記第１の清掃片と前記第２の清掃片のそれぞれを複数の繊維で構成し、前記第２の清掃片の繊維の太さを前記第１の清掃片の繊維のそれより細く設定することにより、回転時における前記第２の清掃片と被掃除面との接触抵抗を、回転時における前記第１の清掃片と被掃除面との接触抵抗より小さく設定した請求項１または６に記載の掃除機用吸込具。
【請求項８】
前記第１の清掃片と前記第２の清掃片のそれぞれを複数の繊維で構成し、前記第２の清掃片の繊維の本数を前記第１の清掃片の繊維のそれより少なく設定することにより、回転時における前記第２の清掃片と被掃除面との接触抵抗を、回転時における前記第１の清掃片と被掃除面との接触抵抗より小さく設定した請求項１、６または７に記載の掃除機用吸込具。
【請求項９】
前記第１の清掃片と前記第２の清掃片のそれぞれを複数の繊維で構成し、前記第２の清掃片の繊維を第２の回転ブラシの長手方向に沿って間引き断続的に形成することにより、回転時における前記第２の清掃片と被掃除面との接触抵抗を、回転時における前記第１の清掃片と被掃除面との接触抵抗より小さく設定した請求項１、６、７または８に記載の掃除機用吸込具。
【請求項１０】
第１の回転ブラシを前側に、第２の回転ブラシを後ろ側にそれぞれ配するとともに、運転時に前記第１の回転ブラシを、本体を前進させる方向に回転させ、前記第２の回転ブラシを前記第１の回転ブラシの回転方向と逆方向に回転させるようにした請求項１〜９のいずれか１項に記載の掃除機用吸込具。
【請求項１１】
第１の回転ブラシを後ろ側に、第２の回転ブラシを前側に配するとともに、運転時に前記第１の回転ブラシを、本体の前方向への移動に逆らう方向に回転させ、前記第２の回転ブラシを前記第１の回転ブラシの回転方向と逆方向に回転させるようにした請求項１〜９のいずれか１項に記載の掃除機用吸込具。
【請求項１２】
電動送風機と、請求項１〜１１のいずれか１項に記載の掃除機用吸込具を備えた電気掃除機。
【発明の詳細な説明】
【技術分野】
【０００１】
本発明は、掃除機用吸込具および電気掃除機に関するものである。
【背景技術】
【０００２】
従来の掃除機用吸込具は、電動機等で回転駆動される１本の回転ブラシを備え、その回転ブラシの外周長手方向に設けた清掃片で、被掃除面の塵埃を掻き上げるようにしていた。しかしながら、回転ブラシが１本だけでは、十分被掃除面を清掃できないため、回転ブラシを２本平行に備えたものが発明された。ところが２本の回転ブラシのそれぞれを回転させるために電動機を２個用いると、掃除機用吸込具が重くなり、掃除機用吸込具の操作性が悪くなるという問題がある。
【０００３】
そこで、１個の電動機で複数の回転ブラシを回転させる掃除機用吸込具が開発されてきている（例えば、特許文献１および２参照）。特許文献１に開示される掃除機用吸込具５０では、図１１に示すように、電動機５１で回転駆動されるとともに外周に清掃片５２を設けた第１の回転ブラシ５３と、同じく外周に清掃片５４を設けた第２の回転ブラシ５５とを平行に設け、清掃片５２と清掃片５４同士をオーバーラップさせて第１の回転ブラシ５３の回転力を第２の回転ブラシ５５に伝達して第２の回転ブラシ５５を回転させるようにしている。
【特許文献１】特開２００３−１２５９９１号公報
【特許文献２】実開昭５７−１８１２４９号公報（実願昭５６−０６９３７８号のマイクロフィルム）
【発明の開示】
【発明が解決しようとする課題】
【０００４】
しかしながら、上記従来の掃除機用吸込具５０の構成では、特に、被掃除面が絨毯の場合、第１の回転ブラシ５３で回転駆動される第２の回転ブラシ５５の清掃片５４の突出代が第１の回転ブラシ５３の清掃片５２のそれより短いため、清掃片５４の腰が強くなり、その結果、清掃片５４が絨毯に食い込みやすくなって回転しにくくなり、掃除性能を十分発揮できないという課題があった。
【０００５】
また、清掃片５４が絨毯に食い込むことにより、第２の回転ブラシ５５に大きな負荷が加わるため、それを回転駆動する第１の回転ブラシ５３の回転力が低下したり、第１の回転ブラシ５３を回転駆動する電動機５１にも過大な負荷が加わり、電動機５１が異常に発熱したり、焼損するなどの課題があった。
【０００６】
本発明は、前記従来の課題を解決するもので、第１および第２の回転ブラシが効率よく回転し、塵埃除去性能に優れた掃除機用吸込具および電気掃除機を提供することを目的とする。
【課題を解決するための手段】
【０００７】
前記従来の課題を解決するために、本願第１の発明に係る掃除機用吸込具は、周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、回転時における前記第２の清掃片と被掃除面との接触抵抗を、前記第１の清掃片と被掃除面との接触抵抗より小さく設定したので、第２の回転ブラシに加わる負荷が減り、それにより第２の回転ブラシを回転駆動する第１の回転ブラシに加わる負荷も減り、第１および第２の回転ブラシが効率よく回転し、塵埃除去性能が大幅に向上する。
【０００８】
また、本願第２の発明に係る掃除機用吸込具は、周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、前記第２の清掃片の突出代を、前記第１の清掃片のそれより長く設定したもので、第２の回転ブラシの第２の清掃片の突出代が長いので、第２の清掃片の腰が弱くなり、絨毯上でも容易に撓んで、第２の回転ブラシに加わる負荷が減り、それにより第２の回転ブラシを回転駆動する第１の回転ブラシに加わる負荷も減り、第１および第２の回転ブラシが効率よく回転し、塵埃除去性能が大幅に向上する。
【０００９】
また、本願第３の発明に係る掃除機用吸込具は、周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、前記第１の清掃片と前記第２の清掃片のそれぞれを複数の繊維で構成し、前記第２の清掃片の繊維の太さを前記第１の清掃片の繊維のそれより細く設定したもので、第２の回転ブラシの第２の清掃片を構成する繊維が細いので、第２の清掃片の腰が弱くなり、絨毯上でも容易に撓んで、第２の回転ブラシに加わる負荷が減り、それにより第２の回転ブラシを回転駆動する第１の回転ブラシに加わる負荷も減り、第１および第２の回転ブラシが効率よく回転し、塵埃除去性能が大幅に向上する。
【００１０】
また、本願第４の発明に係る掃除機用吸込具は、周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、前記第１の清掃片と前記第２の清掃片のそれぞれを複数の繊維で構成し、前記第２の清掃片の繊維の本数を前記第１の清掃片の繊維のそれより少なく設定したもので、第２の回転ブラシの第２の清掃片を構成する繊維の本数が少ないので、第２の清掃片の腰が弱くなり、絨毯上でも容易に撓んで、第２の回転ブラシに加わる負荷が減り、それにより第２の回転ブラシを回転駆動する第１の回転ブラシに加わる負荷も減り、第１および第２の回転ブラシが効率よく回転し、塵埃除去性能が大幅に向上する。
【００１１】
また、本願第５の発明に係る掃除機用吸込具は、周面長手方向に第１の清掃片を有する第１の回転ブラシと、前記第１の回転ブラシを回転駆動する駆動源と、前記第１の回転ブラシと平行に配され前記第１の回転ブラシで回転駆動されるとともに周面長手方向に第２の清掃片を有する第２の回転ブラシとを備え、前記第１の清掃片と前記第２の清掃片のそれぞれを複数の繊維で構成し、前記第２の清掃片の繊維を第２の回転ブラシの長手方向に沿って間引き断続的に形成したもので、第２の回転ブラシの第２の清掃片を構成する長手方向に沿って間引き断続的に形成したので、第２の清掃片の腰が弱くなり、絨毯上でも容易に撓んで、第２の回転ブラシに加わる負荷が減り、それにより第２の回転ブラシを回転駆動する第１の回転ブラシに加わる負荷も減り、第１および第２の回転ブラシが効率よく回転し、塵埃除去性能が大幅に向上する。
【００１２】
また、本願第６の発明に係る掃除機用吸込具は、上記第１の発明に係る掃除機用吸込具において、前記第２の清掃片の突出代を、前記第１の清掃片のそれより長く設定することにより、回転時における前記第２の清掃片と被掃除面との接触抵抗を、回転時における前記第１の清掃片と被掃除面との接触抵抗より小さく設定したもので、第２の回転ブラシの第２の清掃片の突出代が長いので、第２の清掃片の腰が弱くなり、絨毯上でも容易に撓んで、第２の回転ブラシに加わる負荷が減り、それにより第２の回転ブラシを回転駆動する第１の回転ブラシに加わる負荷も減り、第１および第２の回転ブラシが効率よく回転し、塵埃除去性能が大幅に向上する。
【００１３】
また、本願第７の発明に係る掃除機用吸込具は、上記第１または第６の発明に係る掃除機用吸込具において、前記第１の清掃片と前記第２の清掃片のそれぞれを複数の繊維で構成し、前記第２の清掃片の繊維の太さを前記第１の清掃片の繊維のそれより細く設定することにより、回転時における前記第２の清掃片と被掃除面との接触抵抗を、回転時における前記第１の清掃片と被掃除面との接触抵抗より小さく設定したもので、第２の回転ブラシの第２の清掃片を構成する繊維が細いので、第２の清掃片の腰が弱くなり、絨毯上でも容易に撓んで、第２の回転ブラシに加わる負荷が減り、それにより第２の回転ブラシを回転駆動する第１の回転ブラシに加わる負荷も減り、第１および第２の回転ブラシが効率よく回転し、塵埃除去性能が大幅に向上する。
【００１４】
また、本願第８の発明に係る掃除機用吸込具は、上記第１、第６または第７の発明に係る掃除機用吸込具において、前記第１の清掃片と前記第２の清掃片のそれぞれを複数の繊維で構成し、前記第２の清掃片の繊維の本数を前記第１の清掃片の繊維のそれより少なく設定することにより、回転時における前記第２の清掃片と被掃除面との接触抵抗を、回転時における前記第１の清掃片と被掃除面との接触抵抗より小さく設定したもので、第２の回転ブラシの第２の清掃片を構成する繊維の本数が少ないので、第２の清掃片の腰が弱くなり、絨毯上でも容易に撓んで、第２の回転ブラシに加わる負荷が減り、それにより第２の回転ブラシを回転駆動する第１の回転ブラシに加わる負荷も減り、第１および第２の回転ブラシが効率よく回転し、塵埃除去性能が大幅に向上する。
【００１５】
また、本願第９の発明に係る掃除機用吸込具は、上記第１、第６、第７または第８の発明に係る掃除機用吸込具において、前記第１の清掃片と前記第２の清掃片のそれぞれを複数の繊維で構成し、前記第２の清掃片の繊維を第２の回転ブラシの長手方向に沿って間引き断続的に形成することにより、回転時における前記第２の清掃片と被掃除面との接触抵抗を、回転時における前記第１の清掃片と被掃除面との接触抵抗より小さく設定したもので、第２の回転ブラシの第２の清掃片を構成する長手方向に沿って間引き断続的に形成したので、第２の清掃片の腰が弱くなり、絨毯上でも容易に撓んで、第２の回転ブラシに加わる負荷が減り、それにより第２の回転ブラシを回転駆動する第１の回転ブラシに加わる負荷も減り、第１および第２の回転ブラシが効率よく回転し、塵埃除去性能が大幅に向上する。
【００１６】
また、本願第１０の発明に係る掃除機用吸込具は、上記第１〜第９の発明のいずれかに係る掃除機用吸込具において、第１の回転ブラシを前側に、第２の回転ブラシを後ろ側にそれぞれ配するとともに、運転時に前記第１の回転ブラシを、本体を前進させる方向に回転させ、前記第２の回転ブラシを前記第１の回転ブラシの回転方向と逆方向に回転させるようにしたもので、駆動源で回転駆動される第１の回転ブラシの回転により、掃除機用吸込具本体を前方方向に移動させる力が効率よく且つ強力に作用し、特に絨毯上で、掃除機用吸込具を軽く操作できるとともに、後方に配され逆方向に回転する第２の回転ブラシで、被掃除面の塵埃を第１の回転ブラシと第２の回転ブラシとの間に弾き飛ばして、塵埃を外部に漏らすことなく確実に吸引することができる。
【００１７】
また、本願第１１の発明に係る掃除機用吸込具は、上記第１〜第９の発明のいずれかに係る掃除機用吸込具において、第１の回転ブラシを後ろ側に、第２の回転ブラシを前側に配するとともに、運転時に前記第１の回転ブラシを、本体の前方向への移動に逆らう方向に回転させ、前記第２の回転ブラシを前記第１の回転ブラシの回転方向と逆方向に回転させるようにしたもので、被掃除面が絨毯の場合は、駆動源によって駆動される第１の回転ブラシによって絨毯上の塵埃が確実に第１の回転ブラシと第２の回転ブラシとの間に弾き飛ばされるので、塵埃が外部に漏れることなく確実に吸引されるとともに、第２の清掃片は腰が弱いので、絨毯の表面に当たっても容易に撓んで、第２の回転ブラシを回転駆動する第１の回転ブラシの回転を抑制することがない。また、被掃除面が木床などの場合は、第１の回転ブラシの第１の清掃片の被掃除面から受ける負荷が軽いので、第１の回転ブラシが強力に回転し、それによって第２の回転ブラシも効率よく回転し、被掃除面の塵埃を第２の回転ブラシと第１の回転ブラシとの間に寄せながら、拭き磨き効果を遺憾なく発揮することができる。
【００１８】
また、本願第１２の発明に係る電気掃除機は、電動送風機と、上記第１〜第１１の発明のいずれかに係る掃除機用吸込具を備えたもので、塵埃除去性能に優れた掃除機用吸込具を用いることで、操作性、掃除性能に優れた電気掃除機を提供することができる。
【発明の効果】
【００１９】
本発明の掃除機用吸込具および電気掃除機は、第１および第２の回転ブラシが効率よく回転し、塵埃除去性能に優れたものである。
【発明を実施するための最良の形態】
【００２０】
以下、本発明の実施の形態について、図面を参照しながら説明する。なお、この実施の形態によって本発明が限定されるものではない。
【００２１】
（実施の形態１）
本発明の実施の形態１における掃除機用吸込具１６について、図１〜７を用いて説明する。図１は、本実施の形態１における掃除機用吸込具を接続した電気掃除機の全体斜視図である。
【００２２】
図１に示すように、掃除機本体１の後方部に、電動送風機２を内蔵した電動送風機室３が配され、掃除機本体１の前方部に、吸引された塵埃を捕集する集塵袋（図示せず）を着脱自在に収納するとともに、電動送風機２の吸引側開口と連通する集塵室４が配されている。掃除機本体１の後方下部の左右両側に、１対の走行用車輪６が水平に配された走行軸に対して回転自在に取り付けられ、また、掃除機本体１の前方下部に、同じく走行用のキャスター７が垂直な軸心周りに回動自在に、且つ水平に配された走行軸に対して回転自在に取り付けられている。掃除機本体１の前面には、吸引ホース８の一端に設けられた接続パイプ９が着脱自在に接続されるとともに、集塵室４に連通する吸気口１０が設けられている。
【００２３】
吸引ホース８の他端には、操作者が掃除の際に把持するとともに、掃除機本体１の運転を操作するための操作部１１ａを有する把手１１を備えた先端パイプ１２が設けられている。この吸引ホース８の先端パイプ１２に、伸縮自在あるいは継ぎ自在に構成された延長管１３の手元側の一端が着脱自在に接続され、さらに、その延長管１３の先端側の他端が、本実施の形態１の掃除機用吸込具１６に着脱自在に接続される。
【００２４】
掃除機本体１の前部から両側にかけての表面に、弾性材料からなるバンパー１７が延設されており、掃除機本体１の走行時に、掃除機本体１が家具、柱などに衝突してもそれらに傷を付けないようにしている。掃除機本体１の後部上面に起伏可能に設けられた本体ハンドル１８は、掃除機本体１を持ち運ぶ際に把持されるものである。
【００２５】
次に、本実施の形態１における掃除機用吸込具１６の詳細な構成について、図２〜６を用いて説明する。図２は、本実施の形態１における掃除機用吸込具の外観斜視図であり、図３は、この掃除機用吸込具の上ケースを外したときの平面図であり、図４は、この掃除機用吸込具の底面側から見た裏面図である。また、図５は、この掃除機用吸込具の断面図であり、図６は、この掃除機用吸込具の第１および第２の回転ブラシの拡大断面図である。なお、図２以降の図において、掃除機用吸込具１６の走行方向について、把手１１を掴んだ操作者が掃除機用吸込具１６を押し進める（前進させる）方向を前方または前側（図２において左下方向）といい、操作者が掃除機用吸込具１６を引き戻す（後退させる）方向を後方または後ろ側（図２において右上方向）という。
【００２６】
掃除機用吸込具１６の本体ケース２０は、図２に示すように、上ケース２０ａと、底面に開口２１を有する下ケース２０ｂから構成され、上ケース２０ａの後方中央部には、接続管２３が傾動自在に取着され、延長管１３の先端がこの接続管２３の開口端に着脱自在に嵌合固定される。また、下ケース２０ｂの外周面には、ウレタン系樹脂などの弾性材料からなるノズルバンパー２２が設けられており、家具（図示せず）などに当たったときの衝撃を和らげる機能を果たしている。
【００２７】
また、図４に示すように、下ケース２０ｂの底面には、その前方左右端近傍に走行用の前輪２４が１対、後方左右端近傍に走行用の後輪２５が１対、それぞれ回転自在に取着されている。また、開口２１の後方中央に起伏安全スイッチ２６が起伏可能に取着され、この起伏安全スイッチ２６が被掃除面に接触し、その取着されている凹部内に倒れこんだ状態で、操作者が操作部１１ａを操作したときに、掃除機本体１の後述の第１および第２の回転ブラシ３０、３３が回転し、また、この起伏安全スイッチ２６が被掃除面から離れて凹部内から起立した状態では、操作者が操作部１１ａを操作しても、第１および第２の回転ブラシ３０、３３が回転しないように構成されている。
【００２８】
掃除機用吸込具１６の前部には、図５に示すように、開口２１から掃除機用吸込具１６の上方に向けて回転ブラシ収容空間としての回転ブラシ室２７が形成され、この回転ブラシ室２７の後方側は接続管２３に連通している。そして、この回転ブラシ室２７内の前方側に第１の回転ブラシ３０が、後方側に第１の回転ブラシ３０と平行に第２の回転ブラシ３３が収容され、それぞれ掃除機用吸込具１６に対して回転自在に、掃除機用吸込具１６の進退方向に対して垂直に軸支されている。
【００２９】
第１の回転ブラシ３０は、掃除機用吸込具１６の進退方向に対して垂直な方向に長く、開口２１の左右幅寸法とほぼ同じ長さに設定された断面視略円形状の軸芯材３２と、この軸芯材３２とほぼ同じ長さに設定され、軸芯材３２に挿着される複数条（本実施の形態１においては８条）の第１の清掃片３１とを備えている。
【００３０】
軸芯材３２の外周面には、その長手方向に沿って、図６に示すように、複数条（本実施の形態１においては８条）の溝条部３２ａが形成され、この溝条部３２ａにおいて互いに対向する側壁面の開口に近接した部分が、他方の対向する側壁面に向けて膨出して、溝条部３２ａの開口幅が狭められ、開口より軸中心側の部分に第１の清掃片３１の基端部３１ａを収容する空間が形成されている。
【００３１】
第１の清掃片３１は、基端部３１ａと、この基端部３１ａに起毛された複数の繊維からなる繊維状部３１ｂとを備えて構成され、この第１の清掃片３１の基端部３１ａが軸芯材３２に形成された溝条部３２ａの基端部収容空間内に挿入、案内されて組み付けられ、第１の清掃片３１の繊維状部３１ｂが軸芯材３２の溝条部３２ａから外方に突出している。
【００３２】
第２の回転ブラシ３３もまた、第１の回転ブラシ３０と同様に、掃除機用吸込具１６の進退方向に対して垂直な方向に長く、開口２１の左右幅寸法とほぼ同じ長さに設定された断面視略円形状の軸芯材３５と、この軸芯材３５とほぼ同じ長さに設定され、軸芯材３５に挿着される複数条（本実施の形態１においては８条）の第２の清掃片３４とを備えている。
【００３３】
軸芯材３５の外周面には、その長手方向に沿って、複数条（本実施の形態１においては８条）の溝条部３５ａが設けられ、この溝条部３５ａにおいて互いに対向する側壁面の開口に近接した部分が、他方の対向する側壁面に向けて膨出して、溝条部３５ａの開口幅が狭められ、開口より軸中心側の部分に第２の清掃片３４の基端部３４ａを収容する空間が形成されている。そして、第２の清掃片３４は、基端部３４ａと、この基端部３４ａから起毛された複数の繊維からなる繊維状部３４ｂとを備えて構成され、この第２の清掃片３４の基端部３４ａが軸芯材３５に形成された溝条部３５ａの基端部収容空間内に挿入、案内されて組み付けられ、第２の清掃片３４の繊維状部３４ｂが軸芯材３５の溝条部３５ａから外方に突出している。
【００３４】
このように、第１の清掃片３１は、基端部３１ａが軸芯材３２の溝条部３２ａに挿着されることで、簡単に第１の回転ブラシ３０の軸芯材３２に簡単に組み付けられ、また、交換が必要な時には、この溝条部３２ａから抜き出されることで、簡単に軸芯材３２から簡単に取り外すことができる。第２の回転ブラシ３３の第２の清掃片３４においても、同様である。
【００３５】
そして、本実施の形態１において、第２の清掃片３４における繊維状部３４ｂの溝条部３５ａからの突出代（Ｌ２）は、図６に示すように、第１の清掃片３１における繊維状部３１ｂの溝条部３２ａからの突出代（Ｌ１）よりも長く設定されている。
【００３６】
ここで、電動機の回転により、第１の回転ブラシ３０と第２の回転ブラシ３３とを回転させる回転駆動機構について説明する。
【００３７】
掃除機用吸込具１６の回転ブラシ室２７の後方側には、図３に示すように、第１の回転ブラシ３０を正転方向、すなわち掃除機用吸込具１６を前進させる方向に第１の回転ブラシ３０を回転駆動する駆動源としての電動機３６が収納されている。
【００３８】
第１の回転ブラシ３０の一端側（左方端部）には外周面に凹凸が形成されたプーリ３７が固着され、第２の回転ブラシ３３の一端側（左方端部）には軸芯保持材４０ａが固着されている。そして、プーリ３７の左端側に突出した図示しない回転軸を回転可能に支持するように取り付けられた連結支持材４１が、第２の回転ブラシ３３側の軸受部４１ａで第２の回転ブラシ３３に固着された軸芯保持材４０ａを回転可能に支持し、第１の回転ブラシ３０と第２の回転ブラシ３３とがこの連結支持材４１によって所定の間隔を隔てて、回転自在に保持された状態で掃除機用吸込具１６の上ケース２０ａの左端側の適所に固定されている。また、第１の回転ブラシ３０の他端側（右方端部）および第２の回転ブラシ３３の他端側（右方端部）にはそれぞれ軸芯保持材４０ｂ、４０ｃが固着され、これらの軸芯保持材４０ｂ、４０ｃが連結軸受材４２を介して所定の間隔を隔てて、回転自在に保持された状態で掃除機用吸込具１６の上ケース２０ａの右端側の適所に固定されている。
【００３９】
このようにして、電動機３６のシャフト３６ａに固着されたプーリ３９と、第１の回転ブラシ３０の端部に固着されたプーリ３７との間に張架されたベルトト３８を介して、電動機３６（シャフト３６ａ）の回転が第１の回転ブラシ３０に伝達される。そして、さらに第１の回転ブラシ３０の回転に伴い、第１の清掃片３１が、第２の回転ブラシ３３において第２の清掃片３４が形成されていない領域（複数条の第２の清掃片３４の互いに隣り合う間の空間）に噛み合い、第２の清掃片３４を回転方向の背面側から押圧することにより、第２の回転ブラシ３３が第１の回転ブラシ３０の回転に伴って回転駆動される。すなわち、電動機３６からの回転駆動により、第１の回転ブラシ３０は掃除用吸込具１６を前進させる方向に回転し、第２の回転ブラシ３３は掃除用吸込具１６を後退させる方向に回転するように構成されている。
【００４０】
次に、以上のように構成された掃除機用吸込具１６と電気掃除機（掃除機本体１）の動作と作用について、図７を用いて説明する。図７は、実施の形態１における掃除機用吸込具を被掃除面上で操作する時の部分断面図であり、（ａ）は被掃除面が木床の場合、（ｂ）は被掃除面が絨毯の場合を示す。
【００４１】
掃除機本体１から図示しない電源コードを引き出し、その先端についた電源プラグ（図示せず）を部屋のコンセントに差し込んで、把手１１に設けた操作部１１ａを操作して、電動送風機２および掃除機用吸込具１６に内蔵された電動機３６に通電すると、掃除機用吸込具１６の下ケース２０ｂの底面に設けた開口２１に電動送風機２による吸引力が作用し、木床や絨毯などの被掃除面から塵埃が吸引され、延長管１３、吸引ホース８を通って集塵室４に運ばれ、そこで捕集される。
【００４２】
掃除機用吸込具１６を木床やタイル床などの被掃除面上で操作して掃除する場合、図７（ａ）に示すように、掃除機用吸込具１６の下ケース２０ｂに設けた前輪２４と後輪２５により、下ケース２０ｂの底面と被掃除面との間に所定の隙間が確保される。被掃除面が木床やタイル床などの場合は、第１の回転ブラシ３０の第１の清掃片３１および第２の回転ブラシ３３の第２の清掃片３４に加わる負荷が軽いので、第１の回転ブラシ３０、第２の回転ブラシ３３とも、効率よく回転し、塵埃を被掃除面から効果的に除去するとともに、同時に、拭き、磨き効果も十分に発揮される。
【００４３】
また、掃除機用吸込具１６を絨毯などの被掃除面上で操作して掃除する場合、図７（ｂ）に示すように、前輪２４、後輪２５が、絨毯に没して、第１の回転ブラシ３０の第１の清掃片３１が絨毯の表面に接するようになるが、第１の回転ブラシ３０は、電動機３６により正転駆動されるので、掃除機用吸込具１６を前方に移動させる方向に、すなわち自走させる方向に力が働き、使用者は、絨毯上で、掃除機用吸込具１６を容易に前方向に移動させることができる。このとき、本実施の形態１では、第２の回転ブラシ３３の第２の清掃片３４の突出代（Ｌ２）が長いため、腰が弱く、容易に撓んで、第２の回転ブラシ３３が容易に回転するので、第１の回転ブラシ３０の回転を抑制することがない。
【００４４】
なお、前方方向への自走効果がある場合、掃除機用吸込具１６を手前に引くとき、使用者の手に大きな負担が加わりそうだが、実際には、人は、物を引くときに力をかけやすいので、さほど気にならない。
【００４５】
以上のように本実施の形態１によれば、第２の回転ブラシ３３の第２の清掃片３４の突出代（Ｌ２）を第１の回転ブラシ３０の第１の清掃片３１の突出代（Ｌ１）より長く設定したので、回転時における第２の清掃片３４と被掃除面との接触抵抗を第１の清掃片３１と被掃除面との接触抵抗より小さくすることができ、したがって、第２の清掃片３４の腰が弱くなり、絨毯上でも容易に撓むことにより、第２の回転ブラシ３３に加わる負荷が減り、それに伴って第２の回転ブラシ３３を回転駆動する第１の回転ブラシ３０に加わる負荷も減り、第１および第２の回転ブラシ３０、３３が効率よく回転し、塵埃除去性能が大幅に向上する。
【００４６】
また、電動機３６で回転駆動される第１の回転ブラシ３０を前側に、第２の回転ブラシ３３を後ろ側にそれぞれ配し、運転時に第１の回転ブラシ３０を、本体を前進させる方向に回転させ、第２の回転ブラシ３３を第１の回転ブラシ３０の回転方向と逆方向に回転させるようにしているので、掃除機用吸込具１６を前方方向に移動させる力が効率よく且つ強力に作用し、特に絨毯上で、掃除機用吸込具１６を軽く操作できるとともに、逆方向に回転する第２の回転ブラシ３３で、被掃除面の塵埃を第１の回転ブラシ３０と第２の回転ブラシ３３との間に弾き飛ばして、塵埃を外部に漏らすことなく確実に吸引することができる。
【００４７】
なお、上記実施の形態１では、第２の回転ブラシ３３の第２の清掃片３４の突出代（Ｌ２）を長くして、その第２の清掃片３４の腰を弱くして、絨毯上で軽く回転するようにしたが、第１の回転ブラシ３０の第１の清掃片３１と第２の回転ブラシ３３の第２の清掃片３４をそれぞれ複数の繊維で構成し、それぞれの溝条部３２ａ、３５ａからの突出代（Ｌ１、Ｌ２）を略同等にして、第２の回転ブラシ３３の第２の清掃片３４の繊維の太さを第１の回転ブラシ３０の第１の清掃片３１の繊維のそれより細くしたり、あるいは、第２の回転ブラシ３３の第２の清掃片３４の繊維の本数を第１の回転ブラシ３０の第１の清掃片３１の繊維のそれより少なくして、第２の清掃片３４の腰の強さを第１の回転ブラシ３０の第１の清掃片３１のそれより弱くするようにしても、回転時における第２の清掃片３４と被掃除面との接触抵抗を、第１の清掃片３１と被掃除面との接触抵抗より小さく設定することができ、同様の効果を得ることができる。
【００４８】
（実施の形態２）
次に、本発明の実施の形態２における掃除機用吸込具１６Ａについて、図８および図９を用いて説明する。図８は、本実施の形態２における掃除機用吸込具の上ケースを外したときの平面図であり、図９は、この掃除機用吸込具の裏面図である。なお、上記実施の形態１と同一部分については、同一符号を付してその説明を省略する。
【００４９】
本実施の形態２における掃除機用吸込具１６Ａでは、図８に示すように、第２の回転ブラシ３３の第２の清掃片３４を構成する繊維状部３４ｂが、第２の回転ブラシ３３の長手方向に沿って間引かれ、複数の繊維束３４ｃとして断続的に形成されている。そして、この複数の繊維束３４ｃが、複数条の第２の清掃片３４において互いに幅方向（第２の回転ブラシ３３の長手方向）に重複しながらそれぞれの起毛位置をずらし、全体として第２の回転ブラシ３３の長手方向の全幅域をカバーしている。
【００５０】
このような第２の清掃片３４を用いて掃除機用吸込具１６Ａを構成することにより、回転時における第２の清掃片３４（繊維束３４ｃ）と被掃除面との接触抵抗を、第１の清掃片３１と被掃除面との接触抵抗より小さく設定することができ、第２の清掃片３４の腰が弱くなり、絨毯上でも容易に撓んで、第２の回転ブラシ３３に加わる負荷が減り、それにより第２の回転ブラシ３３を回転駆動する第１の回転ブラシ３０に加わる負荷も減り、第１および第２の回転ブラシ３０、３３が効率よく回転し、塵埃除去性能を大幅に向上させることができる。
【００５１】
（実施の形態３）
次に、本発明の実施の形態３における掃除機用吸込具１６Ｂについて、図１０を用いて説明する。図１０は、実施の形態３における掃除機用吸込具の断面図である。なお、上記実施の形態１と同一部分については、同一符号を付してその説明を省略する。
【００５２】
本実施の形態３においては、図１０に示すように、ベルト３８を介して電動機３６で回転駆動される第１の回転ブラシ３０を回転ブラシ室２７の後ろ側に配し、第２の回転ブラシ３３を同回転ブラシ室２７の前側に配し、運転時に第１の回転ブラシ３０を逆転駆動、すなわち掃除機用吸込具１６Ｂの前方向への移動に逆らう方向に回転させるとともに、第２の回転ブラシ３３を第１の回転ブラシ３０の回転方向と逆方向に回転させるようにしたものである。
【００５３】
上記構成により、被掃除面が絨毯の場合は、電動機３６によって回転駆動される第１の回転ブラシ３０によって絨毯上の塵埃が確実に第１の回転ブラシ３０と第２の回転ブラシ３３との間に弾き飛ばされるので、塵埃が外部に漏れることなく確実に吸引されるとともに、第２の回転ブラシ３３の第２の清掃片３４は腰が弱いので、絨毯の表面に当たっても容易に撓んで、第２の回転ブラシ３３を回転駆動する第１の回転ブラシ３０の回転を抑制することがない。また、被掃除面が木床などの場合は、第１の回転ブラシ３０の第１の清掃片３１の被掃除面から受ける負荷が軽いので、第１の回転ブラシ３０が強力に回転し、それによって第２の回転ブラシ３３も効率よく回転し、したがって、被掃除面上の塵埃を第２の回転ブラシ３３と第１の回転ブラシ３０の間に寄せながら、拭き磨き効果も遺憾なく発揮することができる。
【００５４】
また、電動送風機を有する電気掃除機に、塵埃除去性能に優れた上記の掃除機用吸込具１６、１６Ａまたは１６Ｂを接続することにより、操作性、掃除性能に優れた電気掃除機を提供することができることは言うまでもない。
【産業上の利用可能性】
【００５５】
以上のように、本発明にかかる掃除機用吸込具は、第１および第２の回転ブラシが効率よく回転し、塵埃除去性能に優れたもので、家庭用、業務用、店舗用の各種電気掃除機に使用することができる。
【図面の簡単な説明】
【００５６】
【図１】本発明の実施の形態１における掃除機用吸込具を接続した電気掃除機の全体斜視図である。
【図２】本発明の実施の形態１における掃除機用吸込具の外観斜視図である。
【図３】本発明の実施の形態１における掃除機用吸込具の上ケースを外したときの平面図である。
【図４】本発明の実施の形態１における掃除機用吸込具の裏面図である。
【図５】本発明の実施の形態１における掃除機用吸込具の断面図である。
【図６】同本発明の実施の形態１における掃除機用吸込具の第１および第２の回転ブラシの拡大断面図である。
【図７】本発明の実施の形態１における掃除機用吸込具を被掃除面上で操作する時の部分断面図であり、（ａ）は被掃除面が木床の場合、（ｂ）は被掃除面が絨毯の場合を示す。
【図８】本発明の実施の形態２における掃除機用吸込具の上ケースを外したときの平面図である。
【図９】本発明の実施の形態２における掃除機用吸込具の裏面図である。
【図１０】本発明の実施の形態３における掃除機用吸込具の断面図である。
【図１１】従来の掃除機用吸込具の断面図である。
【符号の説明】
【００５７】
１６    掃除機用吸込具
３０    第１の回転ブラシ
３１    第１の清掃片
３３    第２の回転ブラシ
３４    第２の清掃片
３６    電動機（駆動源）
【図１】
2008104840.tif 000003
【図２】
2008104840.tif 000004
【図３】
2008104840.tif 000005
【図４】
2008104840.tif 000006
【図５】
2008104840.tif 000007
【図６】
2008104840.tif 000008
【図７】
2008104840.tif 000009
【図８】
2008104840.tif 000010
【図９】
2008104840.tif 000011
【図１０】
2008104840.tif 000012
【図１１】
2008104840.tif 000013